(57)【要約】【課題】信号線の露出部におけるインピーダンスの増大を防止可能な構造を有するコネクタを提供すること。【解決手段】コネクタ２０は、複数の端子３１０と、シェル４０と、被配置部５６０と、インピーダンス調整部５４０とを備えている。端子３１０は、コネクタ２０がケーブル７０に取り付けられた取付状態において、ケーブル７０の信号線７１０に夫々取り付けられる。シェル４０は、直交方向（Ｚ方向）と交差する所定面５２０を有している。被配置部５６０は、取付状態において、ケーブル７０の外側部材７５０上に配置される。インピーダンス調整部５４０は、前後方向（Ｘ方向）において被配置部５６０の前方に位置しており、且つ、直交方向（Ｚ方向）において所定面５２０及び被配置部５６０のいずれよりも内側に位置している。【選択図】図９
2018014260.tif 000002
【特許請求の範囲】
【請求項１】
被覆された複数の信号線と前記複数の信号線を保護する外側部材とを備えるケーブルの前後方向における前端に取り付け可能なコネクタであって、
前記コネクタは、複数の端子と、保持部材と、シェルと、被配置部と、インピーダンス調整部とを備えており、
前記端子は、前記コネクタが前記ケーブルの前記前端に取り付けられた取付状態において、前記信号線に夫々取り付けられ、
前記保持部材は、前記端子を保持しており、
前記シェルは、前記保持部材を覆っており、且つ、所定面を有しており、
前記所定面は、前記前後方向と直交する直交方向と交差しており、
前記被配置部は、前記取付状態において、前記ケーブルの前記外側部材上に配置され、
前記インピーダンス調整部は、前記前後方向において前記被配置部の前方に位置しており、且つ、前記直交方向において前記所定面及び前記被配置部のいずれよりも内側に位置している
コネクタ。
【請求項２】
請求項１記載のコネクタであって、
前記コネクタが前記取付状態にあるとき、前記インピーダンス調整部は、前記直交方向において前記所定面及び前記被配置部のいずれよりも前記信号線に近い
コネクタ。
【請求項３】
請求項１又は請求項２記載のコネクタであって、
前記インピーダンス調整部は、前記前後方向において前記所定面の前端よりも前記所定面の後端に近い
コネクタ。
【請求項４】
請求項１から請求項３までのいずれかに記載のコネクタであって、
前記端子は、前記前後方向と直交するピッチ方向に並べられており、
前記インピーダンス調整部は、所定部材の一部であり、
前記ピッチ方向における前記インピーダンス調整部のサイズは、前記ピッチ方向における前記所定部材のサイズの２／３以上且つ１以下である
コネクタ。
【請求項５】
請求項１から請求項４までのいずれかに記載のコネクタであって、
前記インピーダンス調整部は、平板形状を有している
コネクタ。
【請求項６】
請求項１から請求項５までのいずれかに記載のコネクタであって、
前記コネクタは、連結部を備えており、
前記連結部は、前記被配置部と前記インピーダンス調整部とを互いに連結している
コネクタ。
【請求項７】
請求項１から請求項６までのいずれかに記載のコネクタであって、
前記インピーダンス調整部は、前記シェルと一体に形成されている
コネクタ。
【請求項８】
請求項１から請求項７までのいずれかに記載のコネクタであって、
前記シェルは、かしめ部を有しており、
前記取付状態において、前記かしめ部は、前記ケーブルの前記外側部材にかしめられ、前記被配置部は、前記かしめ部と前記外側部材との間に位置する
コネクタ。
【請求項９】
請求項１から請求項８までのいずれかに記載のコネクタであって、
前記ケーブルの前記外側部材は、外被と、シールドとを含んでおり、
前記取付状態において、前記シールドは、前記被配置部と前記外被との間に位置する
コネクタ。
【請求項１０】
コネクタと、ケーブルとを備えるワイヤハーネスであって、
前記コネクタは、前記ケーブルの前後方向における前端に取り付けられており、
前記ケーブルは、被覆された複数の信号線と、外側部材とを備えており、
前記信号線の夫々は、被保護部と、露出部とを有しており、
前記外側部材は、前記複数の信号線の前記被保護部を保護しており、
前記露出部は、前記被保護部の前方に位置しており、且つ、前記外側部材の外部に露出しており、
前記コネクタは、複数の端子と、保持部材と、シェルと、被配置部と、インピーダンス調整部とを備えており、
前記端子は、前記信号線の前記露出部に夫々取り付けられており、
前記保持部材は、前記端子を保持しており、
前記シェルは、前記保持部材を覆っており、且つ、所定面を有しており、
前記所定面は、前記前後方向と直交する直交方向と交差しており、
前記被配置部は、前記ケーブルの前記外側部材上に配置されており、
前記インピーダンス調整部は、前記前後方向において前記被配置部の前方に位置しており、且つ、前記直交方向において前記所定面及び前記被配置部のいずれよりも前記信号線の前記露出部に近い
ワイヤハーネス。
【請求項１１】
コネクタと、ケーブルとを備えるワイヤハーネスであって、
前記コネクタは、前記ケーブルの前後方向における前端に取り付けられており、
前記ケーブルは、被覆された複数の信号線と、外側部材とを備えており、
前記信号線の夫々は、被保護部と、露出部とを有しており、
前記外側部材は、前記複数の信号線の前記被保護部を保護しており、
前記露出部は、前記被保護部の前方に位置しており、且つ、前記外側部材の外部に露出しており、
前記コネクタは、複数の端子と、保持部材と、シェルと、インピーダンス調整部とを備えており、
前記端子は、前記信号線の前記露出部に夫々取り付けられており、
前記保持部材は、前記端子を保持しており、
前記シェルは、前記保持部材を覆っており、且つ、所定面を有しており、
前記所定面は、前記前後方向と直交する直交方向と交差しており、
前記インピーダンス調整部は、前記直交方向において前記所定面よりも前記信号線の前記露出部に近い
ワイヤハーネス。
【発明の詳細な説明】
【技術分野】
【０００１】
本発明は、複数の信号線を備えるケーブルに取付可能なコネクタに関する。
【背景技術】
【０００２】
特許文献１には、このタイプのコネクタが開示されている。
【０００３】
図１５を参照すると、特許文献１に開示されたシールドコネクタ（コネクタ）９１０は、シールドツイストペア電線（ケーブル）９５０に取り付けられている。コネクタ９１０は、複数の内導体端子（端子）９１２と、外導体シェル（シェル）９１６とを備えている。ケーブル９５０は、複数の信号線９５２と、信号線９５２を覆う外側部材９５４とを備えている。外側部材９５４は、シールド導体（シールド）９５６と、シース（外被）９５８とを含んでいる。外側部材９５４は、ケーブル９５０の端部において剥かれており、信号線９５２の端部は、外側部材９５４の外部に露出して、コネクタ９１０の端子９１２に夫々取り付けられている。
【０００４】
ケーブル９５０のシールド９５６は、コネクタ９１０のシェル９１６と接触しており、これにより外側部材９５４の外部に露出した信号線９５２の端部（露出部）は、電磁的にシールドされている。特に、シェル９１６には、膨出部（被配置部）９１８が設けられている。被配置部９１８は、外側部材９５４に向かって張り出して、外側部材９５４のシールド９５６上に配置されており、これにより電磁的なシールドが強化されている。
【先行技術文献】
【特許文献】
【０００５】
【特許文献１】特開２０１２−１６０４８１号公報
【発明の概要】
【発明が解決しようとする課題】
【０００６】
ケーブルの外側部材から信号線を露出させると、信号線の露出部においてインピーダンスが増大し易い。この結果、信号線の伝送効率が低下するおそれがある。
【０００７】
そこで、本発明は、信号線の露出部におけるインピーダンスの増大を防止可能な構造を有するコネクタを提供することを目的とする。
【課題を解決するための手段】
【０００８】
本発明は、第１のコネクタとして、
被覆された複数の信号線と前記複数の信号線を保護する外側部材とを備えるケーブルの前後方向における前端に取り付け可能なコネクタであって、
前記コネクタは、複数の端子と、保持部材と、シェルと、被配置部と、インピーダンス調整部とを備えており、
前記端子は、前記コネクタが前記ケーブルの前記前端に取り付けられた取付状態において、前記信号線に夫々取り付けられ、
前記保持部材は、前記端子を保持しており、
前記シェルは、前記保持部材を覆っており、且つ、所定面を有しており、
前記所定面は、前記前後方向と直交する直交方向と交差しており、
前記被配置部は、前記取付状態において、前記ケーブルの前記外側部材上に配置され、
前記インピーダンス調整部は、前記前後方向において前記被配置部の前方に位置しており、且つ、前記直交方向において前記所定面及び前記被配置部のいずれよりも内側に位置している
コネクタを提供する。
【０００９】
また、本発明は、第２のコネクタとして、第１のコネクタであって、
前記コネクタが前記取付状態にあるとき、前記インピーダンス調整部は、前記直交方向において前記所定面及び前記被配置部のいずれよりも前記信号線に近い
コネクタを提供する。
【００１０】
また、本発明は、第３のコネクタとして、第１又は第２のコネクタであって、
前記インピーダンス調整部は、前記前後方向において前記所定面の前端よりも前記所定面の後端に近い
コネクタを提供する。
【００１１】
また、本発明は、第４のコネクタとして、第１から第３までのいずれかのコネクタであって、
前記端子は、前記前後方向と直交するピッチ方向に並べられており、
前記インピーダンス調整部は、所定部材の一部であり、
前記ピッチ方向における前記インピーダンス調整部のサイズは、前記ピッチ方向における前記所定部材のサイズの２／３以上且つ１以下である
コネクタを提供する。
【００１２】
また、本発明は、第５のコネクタとして、第１から第４までのいずれかのコネクタであって、
前記インピーダンス調整部は、平板形状を有している
コネクタを提供する。
【００１３】
また、本発明は、第６のコネクタとして、第１から第５までのいずれかのコネクタであって、
前記コネクタは、連結部を備えており、
前記連結部は、前記被配置部と前記インピーダンス調整部とを互いに連結している
コネクタを提供する。
【００１４】
また、本発明は、第７のコネクタとして、第１から第６までのいずれかのコネクタであって、
前記インピーダンス調整部は、前記シェルと一体に形成されている
コネクタを提供する。
【００１５】
また、本発明は、第８のコネクタとして、第１から第７までのいずれかのコネクタであって、
前記シェルは、かしめ部を有しており、
前記取付状態において、前記かしめ部は、前記ケーブルの前記外側部材にかしめられ、前記被配置部は、前記かしめ部と前記外側部材との間に位置する
コネクタを提供する。
【００１６】
また、本発明は、第９のコネクタとして、第１から第８までのいずれかのコネクタであって、
前記ケーブルの前記外側部材は、外被と、シールドとを含んでおり、
前記取付状態において、前記シールドは、前記被配置部と前記外被との間に位置する
コネクタを提供する。
【００１７】
また、本発明は、第１のワイヤハーネスとして、
コネクタと、ケーブルとを備えるワイヤハーネスであって、
前記コネクタは、前記ケーブルの前後方向における前端に取り付けられており、
前記ケーブルは、被覆された複数の信号線と、外側部材とを備えており、
前記信号線の夫々は、被保護部と、露出部とを有しており、
前記外側部材は、前記複数の信号線の前記被保護部を保護しており、
前記露出部は、前記被保護部の前方に位置しており、且つ、前記外側部材の外部に露出しており、
前記コネクタは、複数の端子と、保持部材と、シェルと、被配置部と、インピーダンス調整部とを備えており、
前記端子は、前記信号線の前記露出部に夫々取り付けられており、
前記保持部材は、前記端子を保持しており、
前記シェルは、前記保持部材を覆っており、且つ、所定面を有しており、
前記所定面は、前記前後方向と直交する直交方向と交差しており、
前記被配置部は、前記ケーブルの前記外側部材上に配置されており、
前記インピーダンス調整部は、前記前後方向において前記被配置部の前方に位置しており、且つ、前記直交方向において前記所定面及び前記被配置部のいずれよりも前記信号線の前記露出部に近い
ワイヤハーネスを提供する。
【００１８】
また、本発明は、第２のワイヤハーネスとして、
コネクタと、ケーブルとを備えるワイヤハーネスであって、
前記コネクタは、前記ケーブルの前後方向における前端に取り付けられており、
前記ケーブルは、被覆された複数の信号線と、外側部材とを備えており、
前記信号線の夫々は、被保護部と、露出部とを有しており、
前記外側部材は、前記複数の信号線の前記被保護部を保護しており、
前記露出部は、前記被保護部の前方に位置しており、且つ、前記外側部材の外部に露出しており、
前記コネクタは、複数の端子と、保持部材と、シェルと、インピーダンス調整部とを備えており、
前記端子は、前記信号線の前記露出部に夫々取り付けられており、
前記保持部材は、前記端子を保持しており、
前記シェルは、前記保持部材を覆っており、且つ、所定面を有しており、
前記所定面は、前記前後方向と直交する直交方向と交差しており、
前記インピーダンス調整部は、前記直交方向において前記所定面よりも前記信号線の前記露出部に近い
ワイヤハーネスを提供する。
【発明の効果】
【００１９】
本発明によれば、インピーダンス調整部は、ケーブルの外側部材上に配置される被配置部の前方に位置しており、且つ、直交方向においてシェルの所定面及び被配置部のいずれよりも内側に位置している。この構造により、インピーダンス調整部を、ケーブルの信号線の露出部に近づけることができ、これにより、信号線の露出部におけるインピーダンスの増大を防止できる。
【図面の簡単な説明】
【００２０】
【図１】本発明の実施の形態によるワイヤハーネス（コネクタ及びケーブル）を示す斜視図である。コネクタと嵌合する相手側コネクタの一部を破線で模式的に描画している。
【図２】図１のコネクタ（外部ハウジング及びコネクタ本体）とケーブルとを示す斜視図である。コネクタ本体は、ケーブルに取り付けられている一方、外部ハウジングに収容されていない。コネクタ本体の下側シェルのかしめ部の継ぎ目を描画していない。
【図３】図２のコネクタ本体及びケーブルを示す斜視図である。下側シェルのかしめ部は、かしめられていない。かしめ部がかしめられたときの輪郭を破線で描画している。
【図４】図３のケーブルを示す斜視図である。信号線のうち外側部材に保護された被保護部の概略形状を破線で示している。
【図５】図３のコネクタ本体を示す分解斜視図である。
【図６】図５のコネクタ本体の上側シェルを示す斜視図である。ケーブルの外側部材の輪郭を破線で描画している。
【図７】図５のコネクタ本体の下側シェルを示す斜視図である。ケーブルの外側部材の輪郭を破線で描画している。
【図８】図２のコネクタ本体を示す正面図である。
【図９】図８のコネクタ本体をＩＸ−ＩＸ線に沿って示す断面図である。コネクタ本体の端子及びケーブルの信号線は、側面を描画している。相手側コネクタの相手側端子の一部を破線で模式的に描画している。
【図１０】図９のコネクタ本体の所定面、インピーダンス調整部及び被配置部の位置関係を示す模式図である。
【図１１】図９のコネクタ本体をＸＩ−ＸＩ線に沿って示す断面図である。ケーブルの外側部材の概略位置を１点鎖線で描画している。
【図１２】図１０の位置関係の変形例を示す模式図である。
【図１３】本実施の形態の変形例によるワイヤハーネス（コネクタ及びケーブル）を示す斜視図である。コネクタと嵌合する相手側コネクタの一部を破線で模式的に描画している。
【図１４】図１３のコネクタ（外部ハウジング及びコネクタ本体）とケーブルとを示す斜視図である。コネクタ本体は、ケーブルに取り付けられている一方、外部ハウジングに収容されていない。コネクタ本体の下側シェルのかしめ部の継ぎ目を描画していない。
【図１５】特許文献１のコネクタ及びケーブルを示す断面図である。
【発明を実施するための形態】
【００２１】
図１及び図２を参照すると、本発明の実施の形態によるワイヤハーネス１０は、コネクタ２０と、ケーブル７０とを備えている。コネクタ２０は、絶縁体からなる外部ハウジング２１０と、コネクタ本体３０とを備えている。外部ハウジング２１０には、収容部２１２が形成されている。収容部２１２は、外部ハウジング２１０をＸ方向に貫通する空間である。
【００２２】
コネクタ２０は、ケーブル７０に取り付けられている。詳しくは、コネクタ２０のコネクタ本体３０は、ケーブル７０の前後方向（Ｘ方向）における前端７２（図４参照）に取り付けられている。本実施の形態において、コネクタ本体３０は、ケーブル７０の前端７２（図４参照）に取り付けられた取付状態において、外部ハウジング２１０の後方（−Ｘ側）から収容部２１２に挿入され収容部２１２内部に収容されている。但し、本発明は、これに限られない。例えば、コネクタ２０は、外部ハウジング２１０を備えていなくてもよい。換言すれば、コネクタ２０は、コネクタ本体３０のみから構成されていてもよい。
【００２３】
図１を参照すると、コネクタ２０は、前方（＋Ｘ側）に位置する相手側コネクタ８０とＸ方向に沿って嵌合可能である。本実施の形態によるワイヤハーネス１０（コネクタ２０及びケーブル７０）は、例えば、自動車内部におけるデータ伝送に使用される。換言すれば、本実施の形態によるコネクタ２０は、車載用コネクタである。但し、本発明は、車載用コネクタ以外のコネクタにも適用可能である。
【００２４】
図４を参照すると、ケーブル７０は、丸型のツイストペアケーブルである。ケーブル７０は、撚り合わせた２つの信号線７１０と、絶縁体からなる外側部材（外被）７５０とを備えている。信号線７１０の夫々は、絶縁被覆されている。より具体的には、信号線７１０の夫々は、導電体からなる芯線７２０と、絶縁体からなる絶縁被覆７３０とを備えている。信号線７１０の夫々において、絶縁被覆７３０は、芯線７２０を覆って保護している。外側部材７５０は、２つの信号線７１０を覆って保護している。
【００２５】
外側部材７５０は、ケーブル７０の前端７２付近で剥かれており、信号線７１０の夫々の前端部分が外部に露出している。これにより、信号線７１０の夫々は、外側部材７５０の外部に露出した露出部７１２と、外側部材７５０の内部に位置する被保護部７１４とを有している。露出部７１２は、被保護部７１４の前方に位置している。外側部材７５０は、２つの信号線７１０の被保護部７１４を覆って保護している。２つの被保護部７１４は、撚り合わされた状態で全体としてＸ方向に沿って延びており、２つの露出部７１２は、ピッチ方向（Ｙ方向）に並んでＸ方向に沿って延びている。露出部７１２の夫々は、前端７２付近で剥かれており、芯線７２０の前端部分が外部に露出している。
【００２６】
前述したように、本実施の形態において、ケーブル７０は、丸型のツイストペアケーブルであり、撚り合わせた２つの信号線７１０を備えている。但し、本発明は、これに限られない。例えば、ケーブル７０は、ツイストペアケーブルでなくてもよい。換言すれば、２つの信号線７１０の被保護部７１４は、撚り合わされずに延びていてもよい。また、２つの信号線７１０は、遮蔽テープ等のシールド部材（図示せず）によって覆われていてもよい。この場合、遮蔽テープを含む外側部材７５０が、２つの信号線７１０を覆って保護していてもよい。更に、ケーブル７０は、３つ以上の信号線７１０を備えていてもよい。即ち、ケーブル７０は、被覆された複数の信号線７１０と、複数の信号線７１０を保護する外側部材７５０とを備えていればよい。
【００２７】
図５を参照すると、コネクタ本体３０は、導電体からなる２つの端子３１０と、絶縁体からなる保持部材３２０と、シェル４０とを備えている。シェル４０は、金属製の上側シェル５０と、金属製の下側シェル６０とから構成されている。
【００２８】
図５及び図９を参照すると、端子３１０は、ケーブル７０の信号線７１０に夫々対応している。より具体的には、端子３１０は、コネクタ本体３０がケーブル７０の前端７２（図４参照）に取り付けられた取付状態において、信号線７１０の露出部７１２に夫々取り付けられている。詳しくは、端子３１０の夫々は、対応する信号線７１０の芯線７２０に夫々接続されている。本実施の形態によれば、信号線７１０の数が２であるため、端子３１０の数も２である。但し、コネクタ本体３０は、信号線７１０に夫々対応する複数の端子３１０を備えていればよい。また、本実施の形態による端子３１０の夫々はソケットであるが、端子３１０の夫々はピンであってもよい。
【００２９】
図５を参照すると、保持部材３２０は、概ね直方体形状を有しており、Ｘ方向に長く延びている。図５及び図９から理解されるように、保持部材３２０は、Ｙ方向に並んだ２つの保持部３２２と、保持部３２２に夫々対応する２つの接続孔３２４と、突起３２６とを有している。保持部３２２の夫々は、保持部材３２０の内部をＸ方向に沿って延びる空間である。保持部３２２の夫々は、対応する接続孔３２４を介して前方に開口しており、且つ、後方に開口している。突起３２６は、上下方向（Ｚ方向：直交方向）における保持部材３２０の上面（＋Ｚ側の面）に設けられており、上方（＋Ｚ方向）に突出している。
【００３０】
図５及び図９から理解されるように、保持部材３２０は、端子３１０を保持している。詳しくは、端子３１０は、信号線７１０に夫々取り付けられた状態で、保持部材３２０の後方から保持部３２２に夫々挿入されている。保持部３２２に挿入された端子３１０は、Ｙ方向に並べられて保持されている。図９から理解されるように、コネクタ２０と相手側コネクタ８００とが互いに嵌合した嵌合状態において、端子３１０の夫々は、相手側コネクタ８００の対応する相手側端子８１０と接続する。この接続により、ケーブル７０が取り付けられた機器（図示せず）と、相手側コネクタ８００が取り付けられた相手側機器（図示せず）との間のデータ伝送が可能になる。
【００３１】
図６を参照すると、上側シェル５０は、曲げを有する１枚の金属板である。上側シェル５０は、折り曲げ等によって形成された様々な部位を有している。より具体的には、上側シェル５０は、上板５１０と、２つの側板５３０と、インピーダンス調整部５４０と、連結部５５０と、被配置部５６０とを有している。
【００３２】
上板５１０は、ＸＹ平面上を延びる平板形状を有している。側板５３０は、上板５１０のＹ方向における両側から下方（−Ｚ方向）に延びている。インピーダンス調整部５４０は、ＸＹ平面上を延びる平板形状を有しており、Ｘ方向において、前端５４２（図９参照）と後端５４４とを有している。インピーダンス調整部５４０は、Ｘ方向において上板５１０の後端（−Ｘ側の端）近傍に位置しており、Ｚ方向において上板５１０の下方に位置している。図９を参照すると、より具体的には、上板５１０の後端部の一部は、下方に向かって延びるように折り曲げられた後、後方に向かって延びるように折り曲げられており、これによりインピーダンス調整部５４０が形成されている。
【００３３】
図６を参照すると、上板５１０は、突出部５１２と、所定面５２０とを有している。所定面５２０は、ＸＹ平面上を延びており、Ｘ方向において、前端５２２と後端５２４とを有している。突出部５１２は、所定面５２０から上方に張り出しており、且つ、上板５１０の前端から前方に突出している。側板５３０の夫々は、取付部５３２を有している。取付部５３２の夫々は、対応する側板５３０の後端近傍に設けられており、Ｙ方向外側に張り出している。
【００３４】
連結部５５０は、インピーダンス調整部５４０の後端５４４から上方に延びた後、後方に延びている。被配置部５６０は、連結部５５０の後端に繋がっている。即ち、連結部５５０は、被配置部５６０とインピーダンス調整部５４０とを互いにＸ方向に連結している。被配置部５６０は、ケーブル７０の外側部材７５０の表面に対応した形状を有している。より具体的には、被配置部５６０のＹＺ平面における断面は、外側部材７５０のＹＺ平面における断面円と同様な曲率の弧形状を有している。
【００３５】
図６及び図１１を参照すると、上側シェル５０には、２つの側部５７０が形成されている。側部５７０は、インピーダンス調整部５４０のＹ方向における両側に夫々位置している。側部５７０の夫々は、上板５１０の一部（上板部）と、側板５３０の一部（側板部）とから構成されている。側部５７０の夫々において、上板部は、側板部の上端（＋Ｚ側の端）からＹ方向内側に張り出している。
【００３６】
図７を参照すると、下側シェル６０は、曲げを有する１枚の金属板である。下側シェル６０は、折り曲げ等によって形成された様々な部位を有している。より具体的には、下側シェル６０は、主部６１０と、接続部６５０と、かしめ部６６０とを有している。
【００３７】
主部６１０は、２つの側板６２０と、下板６３０と、２つの上板６４０とを有している。下板６３０は、ＸＹ平面上を延びる平板形状を有している。側板６２０は、下板６３０のＹ方向における両側から上方に延びている。これにより、下側シェル６０には、側板６２０及び下板６３０に囲まれた受容部６２が形成されている。受容部６２は、Ｘ方向に沿って延びる溝であり、前方及び後方に開口している。上板６４０は、側板６２０の上端に夫々繋がっており、受容部６２の前端近傍を上方から覆っている。
【００３８】
上板６４０の夫々は、部分的に上方に張り出しており、これにより張出部６４２が形成されている。張出部６４２は、上板６４０の後端近傍に位置しており、上方に張り出している。側板６２０の夫々には、取付孔６２２が形成されている。取付孔６２２は、Ｙ方向において側板６２０を貫通する孔であり、側板６２０の後端近傍に設けられている。
【００３９】
接続部６５０は、主部６１０の後端から後方に向かって延びている。かしめ部６６０は、下部６６２と、２つの上部６６４とを有している。下部６６２は、接続部６５０の後端に繋がっている。即ち、接続部６５０は、かしめ部６６０と主部６１０とを互いにＸ方向に接続している。下部６６２は、ケーブル７０の外側部材７５０の表面に対応した半円柱形状を有している。上部６６４は、下部６６２のＹ方向における両側から上方に夫々延びている。
【００４０】
図３及び図５から理解されるように、端子３１０を保持した保持部材３２０は、下側シェル６０の受容部６２に対して下方及び前方に向かって挿入され、これにより受容部６２に受容されている。保持部材３２０の突起３２６は、下側シェル６０の張出部６４２の下に位置している。上側シェル５０は、保持部材３２０が受容部６２に受容された後で、下側シェル６０に取り付けられている。上側シェル５０の突出部５１２は、張出部６４２の下に位置しており、上側シェル５０の取付部５３２は、下側シェル６０の取付孔６２２に夫々取り付けられている。
【００４１】
図８及び図１１から理解されるように、コネクタ本体３０を上述のように組み立てた結果、保持部材３２０の突起３２６は、Ｘ方向において、下側シェル６０の上板６４０と上側シェル５０の突出部５１２との間に挟まれている。図３を参照すると、保持部材３２０は、上側シェル５０と下側シェル６０との間に保持されており、シェル４０（上側シェル５０及び下側シェル６０）は、ＹＺ平面において保持部材３２０を覆っている。
【００４２】
図２及び図３から理解されるように、下側シェル６０のかしめ部６６０は、上側シェル５０の被配置部５６０を間に挟んで、ケーブル７０の外側部材７５０にかしめられている。かしめ部６６０が外側部材７５０にかしめられたとき、コネクタ本体３０は、ケーブル７０の前端７２（図４参照）に取り付けられた取付状態にあり、ケーブル７０の前端部分は、コネクタ本体３０に固定されている。
【００４３】
図３及び図９を参照すると、上側シェル５０の被配置部５６０は、コネクタ本体３０がケーブル７０の前端７２（図４参照）に取り付けられた取付状態において、ケーブル７０の外側部材７５０上に配置され、且つ、外側部材７５０に固定されている。このため、例えばケーブル７０が煽られたとしても、上側シェル５０のインピーダンス調整部５４０は、信号線７１０の露出部７１２に対して殆ど移動しない。換言すれば、取付状態において、インピーダンス調整部５４０と露出部７１２との間の距離は、一定に維持されている。
【００４４】
本実施の形態において、被配置部５６０は、ＹＺ平面において僅かに曲がった弧形状を有しており、外側部材７５０の上側にのみ固定されている。但し、本発明は、これに限られない。例えば、被配置部５６０は、半円柱形状を有していてもよい。この場合、被配置部５６０は、外側部材７５０の上側に加えて外側部材７５０のＹ方向における両側に配置されて固定されていてもよい。更に、半円柱形状の被配置部５６０は、外側部材７５０のＹ方向における一方側、上側及び下側に配置されて固定されていてもよい。
【００４５】
図９及び図１０を参照すると、インピーダンス調整部５４０は、Ｘ方向において被配置部５６０の前方に位置している。このように配置されたインピーダンス調整部５４０は、信号線７１０の露出部７１２の上方に位置する。特に、本実施の形態によるインピーダンス調整部５４０は、Ｘ方向において所定面５２０の前端５２２よりも所定面５２０の後端５２４に近い。詳しくは、インピーダンス調整部５４０の前端５４２及び後端５４４のＸ方向における中間点は、所定面５２０の前端５２２及び後端５２４のＸ方向における中間点よりも後方に位置している。このためインピーダンス調整部５４０を、Ｘ方向において、露出部７１２と外側部材７５０との間の境界に近づけることができる。
【００４６】
図１０に示されるように、インピーダンス調整部５４０は、所定面５２０及び被配置部５６０のいずれよりも下方に位置している。換言すれば、インピーダンス調整部５４０は、Ｘ方向及びＹ方向の双方と直交する直交方向（Ｚ方向）において所定面５２０及び被配置部５６０のいずれよりもコネクタ本体３０の内側に位置している。これにより、コネクタ本体３０がケーブル７０の前端７２（図４参照）に取り付けられた取付状態にあるとき、インピーダンス調整部５４０は、Ｚ方向において所定面５２０及び被配置部５６０のいずれよりも信号線７１０の露出部７１２に近い。
【００４７】
本実施の形態によれば、インピーダンス調整部５４０が、上述のように露出部７１２に近づくように設けられているため、露出部７１２におけるインピーダンスの増大を防止できる。この結果、信号線７１０の伝送効率の低下を防止できる。
【００４８】
更に、図１１を参照すると、インピーダンス調整部５４０は、ケーブル７０の外側部材７５０が剥かれる前に占めていた空間内に位置している。また、インピーダンス調整部５４０は、Ｙ方向において、＋Ｙ側の露出部７１２の＋Ｙ側の端付近から−Ｙ側の露出部７１２の−Ｙ側の端付近まで延びている。このため、露出部７１２におけるインピーダンスの増大を更に確実に防止できる。
【００４９】
図１１を参照すると、Ｙ方向におけるインピーダンス調整部５４０のサイズ（幅）Ｗ１は、Ｙ方向における上側シェル５０のサイズ（幅）Ｗ２の約２／３である。幅Ｗ１が幅Ｗ２に比べて狭いため、側部５７０の夫々は、Ｙ方向内側に張り出しており、側部５７０の強度が高められている。但し、露出部７１２におけるインピーダンスの増大を防止するという観点からは、幅Ｗ１は、幅Ｗ２に近い方が好ましい。より具体的には、本実施の形態において、インピーダンス調整部５４０は、上側シェル５０（所定部材）の一部であるため、インピーダンス調整部５４０の幅Ｗ１は、この所定部材（上側シェル５０）の幅Ｗ２の２／３以上且つ１以下であることが好ましい。
【００５０】
本実施の形態によるコネクタ本体３０は、既に述べた変形例に加えて、以下に説明するように様々に変形可能である。
【００５１】
図５を参照すると、本実施の形態によるシェル４０は、上側シェル５０及び下側シェル６０の２つの部材から構成されている。詳しくは、所定面５２０、インピーダンス調整部５４０、連結部５５０及び被配置部５６０は、上側シェル５０と一体に形成されており、かしめ部６６０は、下側シェル６０と一体に形成されている。但し、本発明は、これに限られない。例えば、上側シェル５０及び下側シェル６０は、互いに一体に形成されていてもよい。換言すれば、シェル４０は、所定面５２０、インピーダンス調整部５４０、連結部５５０、被配置部５６０及びかしめ部６６０を有する１つの部材であってもよい。一方、コネクタ本体３０がインピーダンス調整部５４０、連結部５５０及び被配置部５６０等の部位を備えている限り、これらの部位は、上側シェル５０及び下側シェル６０のいずれとも別体の部材であってもよい。
【００５２】
図１１を参照すると、インピーダンス調整部５４０が上側シェル５０とは別体の所定部材の一部である場合、幅Ｗ１は、この所定部材の幅の２／３以上且つ１以下であってもよい。更に、シェル４０が上側シェル５０及び下側シェル６０からなる一体の部材である場合、幅Ｗ１は、この所定部材（シェル４０）の幅の２／３以上且つ１以下であってもよい。
【００５３】
図６を参照すると、上側シェル５０の所定面５２０は、Ｚ方向と直交している。但し、所定面５２０は、Ｚ方向と多少斜交していてもよい。換言すれば、所定面５２０は、Ｚ方向と交差していればよい。また、インピーダンス調整部５４０は、平板形状以外の形状を有していてもよい。例えば、インピーダンス調整部５４０は、ＹＺ平面において弧形状の断面を有していてもよい。
【００５４】
図９を参照すると、本実施の形態によれば、コネクタ本体３０がケーブル７０の前端７２（図４参照）に取り付けられた取付状態において、かしめ部６６０は、ケーブル７０の外側部材７５０にかしめられ、被配置部５６０は、かしめ部６６０と外側部材７５０との間に位置する。但し、本発明は、これに限られない。例えば、図１２を参照すると、コネクタ本体３０は、ケーブル７０（図４参照）と少し異なるケーブル７０Ａに取り付けてもよい。ケーブル７０Ａは、外側部材７５０（図４参照）に代えて外側部材７５０Ａを備えている。外側部材７５０Ａは、編組された導電体からなるシールド７５２と、絶縁体からなる外被７５４とを含んでいる。取付状態において、シールド７５２は、折り返されて被配置部５６０と外被７５４との間に位置する。
【００５５】
図１０に示されるように、本実施の形態によるインピーダンス調整部５４０の前端５４２は、Ｘ方向において、所定面５２０の前端５２２及び後端５２４の間に位置している。但し、図１２の変形例に示されるように、インピーダンス調整部５４０の前端５４２は、Ｘ方向において所定面５２０の後端５２４の後方に位置していてもよい。
【００５６】
図１を参照すると、本実施の形態によるワイヤハーネス１０のコネクタ２０は、相手側コネクタ８０に受容されるプラグである。但し、本発明は、これに限られない。例えば、図１３を参照すると、本実施の形態の変形例によるワイヤハーネス１０Ｂは、レセプタクルであるコネクタ２０Ｂと、ケーブル７０とを備えている。
【００５７】
図１３及び図１４を参照すると、コネクタ２０Ｂは、絶縁体からなる外部ハウジング２１０Ｂと、コネクタ本体３０Ｂとを備えている。外部ハウジング２１０Ｂには、収容部２１２（図２参照）と同様な収容部２１２Ｂが形成されている。コネクタ本体３０Ｂは、ケーブル７０の前端７２（図４参照）に取り付けられている。また、コネクタ本体３０Ｂは、コネクタ本体３０（図１及び図２参照）と同様に、収容部２１２Ｂに挿入されて保持されている。コネクタ２０Ｂは、コネクタ２０（図１参照）と同様に、前方に位置する相手側コネクタ８０ＢとＸ方向に沿って嵌合可能である。但し、コネクタ２０Ｂは、相手側コネクタ８０Ｂとの嵌合状態において、相手側コネクタ８０Ｂを受容する。
【００５８】
図１４を参照すると、コネクタ本体３０Ｂは、コネクタ本体３０（図２参照）の保持部材３２０及びシェル４０に代えて、絶縁体からなる保持部材３２０Ｂと、シェル４０Ｂを備えている。保持部材３２０Ｂは、保持部材３２０と僅かに異なる形状を有しているが、保持部材３２０と同様に機能する。シェル４０Ｂは、金属製の上側シェル５０Ｂと、金属製の下側シェル６０Ｂとから構成されている。上側シェル５０Ｂ及び下側シェル６０Ｂは、上側シェル５０及び下側シェル６０（図２参照）と夫々僅かに異なる形状を有しているが、上側シェル５０及び下側シェル６０と夫々同様に機能する。
【００５９】
本発明は、上述したコネクタだけでなく、様々なコネクタに適用可能である。例えば、本発明は、防水構造を有する防水コネクタにも適用可能である。
【符号の説明】
【００６０】
１０，１０Ｂ        ワイヤハーネス
２０，２０Ｂ        コネクタ
２１０，２１０Ｂ    外部ハウジング
２１２，２１２Ｂ    収容部
３０，３０Ｂ        コネクタ本体
３１０              端子
３２０，３２０Ｂ    保持部材
３２２              保持部
３２４              接続孔
３２６              突起
４０，４０Ｂ        シェル
５０，５０Ｂ        上側シェル
５１０              上板
５１２              突出部
５２０              所定面
５２２              前端
５２４              後端
５３０              側板
５３２              取付部
５４０              インピーダンス調整部
５４２              前端
５４４              後端
５５０              連結部
５６０              被配置部
５７０              側部
６０，６０Ｂ        下側シェル
６２                受容部
６１０              主部
６２０              側板
６２２              取付孔
６３０              下板
６４０              上板
６４２              張出部
６５０              接続部
６６０              かしめ部
６６２              下部
６６４              上部
７０，７０Ａ        ケーブル
７２                前端
７１０              信号線
７１２              露出部
７１４              被保護部
７２０              芯線
７３０              絶縁被覆
７５０              外側部材（外被）
７５０Ａ            外側部材
７５２              シールド
７５４              外被
８０，８０Ｂ        相手側コネクタ
８１０              相手側端子
【図１】
2018014260.tif 000003
【図２】
2018014260.tif 000004
【図３】
2018014260.tif 000005
【図４】
2018014260.tif 000006
【図５】
2018014260.tif 000007
【図６】
2018014260.tif 000008
【図７】
2018014260.tif 000009
【図８】
2018014260.tif 000010
【図９】
2018014260.tif 000011
【図１０】
2018014260.tif 000012
【図１１】
2018014260.tif 000013
【図１２】
2018014260.tif 000014
【図１３】
2018014260.tif 000015
【図１４】
2018014260.tif 000016
【図１５】
2018014260.tif 000017